(57)【特許請求の範囲】
【請求項１】
複数の基地局の何れかと同期が確立されている状態で、その受信品質の劣化を検出して同期確立中の基地局に対しハンドオフ要求を送出する機能を備えた移動通信端末装置において、
前記同期確立中の基地局及びその周辺の基地局から送信される無線信号の受信品質をそれぞれ測定し、その測定結果をもとにハンドオフの要否を判定するハンドオフ判定手段と、
このハンドオフ判定手段によりハンドオフが必要と判定された場合に、ハンドオフの要求メッセージを生成し、この要求メッセージを複数のシーケンス番号の中から選択した空きのシーケンス番号を用いて、前記同期確立中の基地局へ送信するメッセージ送信手段と、
前記要求メッセージの送信に対する前記同期確立中の基地局からの受信確認の応答を監視し、所定時間内に応答がない場合に、当該要求メッセージを前記メッセージ送信手段の送信で使用したシーケンス番号と同一のシーケンス番号を用いて、前記所定時間より長い第１の時間間隔で少なくとも１回再送するメッセージ再送手段と、
前記メッセージ送信手段が送信した要求メッセージと同一内容の要求メッセージを、前記複数のシーケンス番号の中から選択した他の空きのシーケンス番号を用いて、前記メッセージ送信手段が要求メッセージを送信してから前記メッセージ再送手段により当該要求メッセージの再送が行われるまでの期間に、前記同期確立中の基地局へ追加送信するメッセージ追加送信手段と
を具備することを特徴とする移動通信端末装置。
【請求項２】
複数の基地局の何れかと同期が確立されている状態で、その受信品質の劣化を検出して同期確立中の基地局に対しハンドオフ要求を送出する機能を備えた移動通信端末装置において、
前記同期確立中の基地局及びその周辺の基地局から送信される無線信号の受信品質をそれぞれ測定し、その測定結果をもとにハンドオフの要否を判定するハンドオフ判定手段と、
このハンドオフ判定手段によりハンドオフが必要と判定された場合に、ハンドオフの要求メッセージを生成し、この要求メッセージを複数のシーケンス番号の中から選択した空きのシーケンス番号を用いて、前記同期確立中の基地局へ送信するメッセージ送信手段と、
前記要求メッセージの送信に対する前記同期確立中の基地局からの受信確認の応答を監視し、所定時間内に応答がない場合に、当該要求メッセージを前記メッセージ送信手段の送信で使用したシーケンス番号と同一のシーケンス番号を用いて、前記所定時間より長い第１の時間間隔で少なくとも１回再送するメッセージ再送手段と、
前記メッセージ送信手段が送信した要求メッセージと同一内容の要求メッセージを、前記複数のシーケンス番号の中から選択した他の空きのシーケンス番号を用いて、前記メッセージ再送手段により要求メッセージの再送が行われてから次の再送が行われるまでの期間に、前記同期確立中の基地局へ追加送信するメッセージ追加送信手段と
を具備することを特徴とする移動通信端末装置。
【請求項３】
前記メッセージ追加送信手段は、前記複数のシーケンス番号の中に空きのシーケンス番号が複数あるか否かを判定して、複数ある場合にはこの複数の空きのシーケンス番号を選択し、前記メッセージ送信手段が送信した要求メッセージと同一内容の要求メッセージを、前記選択した複数のシーケンス番号を用いて、前記第１の時間間隔より短い第２の時間間隔で前記同期確立中の基地局へ複数回追加送信することを特徴とする請求項１又は２に記載の移動通信端末装置。
【請求項４】
前記メッセージ追加送信手段は、前記複数のシーケンス番号の中から、所定数のシーケンス番号を予備として残したうえで空きのシーケンス番号を複数選択して、前記要求メッセージの追加送信に使用することを特徴とする請求項３記載の移動通信端末装置。
【請求項５】
複数の基地局の何れかと同期が確立されている状態で、この同期確立中の基地局に対し受信確認の応答を必要とするメッセージを送出する機能を備えた移動通信端末装置において、
前記受信確認の応答を必要とするメッセージを生成し、このメッセージを複数のシーケンス番号の中から選択した空きのシーケンス番号を用いて、前記同期確立中の基地局へ送信するメッセージ送信手段と、
前記メッセージの送信に対する前記同期確立中の基地局からの受信確認の応答を監視し、所定時間内に応答がない場合に、当該メッセージを前記メッセージ送信手段の送信で使用したシーケンス番号と同一のシーケンス番号を用いて、前記所定時間より長い第１の時間間隔で少なくとも１回再送するメッセージ再送手段と、
前記メッセージ送信手段が送信したメッセージと同一内容のメッセージを、前記複数のシーケンス番号の中から選択した他の空きのシーケンス番号を用いて、前記メッセージ送信手段がメッセージを送信してから前記メッセージ再送手段により当該メッセージの再送が行われるまでの期間に、前記同期確立中の基地局へ追加送信するメッセージ追加送信手段と
を具備することを特徴とする移動通信端末装置。
【請求項６】
複数の基地局の何れかと同期が確立されている状態で、この同期確立中の基地局に対し受信確認の応答を必要とするメッセージを送出する機能を備えた移動通信端末装置において、
前記受信確認の応答を必要とするメッセージを生成し、このメッセージを複数のシーケンス番号の中から選択した空きのシーケンス番号を用いて、前記同期確立中の基地局へ送信するメッセージ送信手段と、
前記メッセージの送信に対する前記同期確立中の基地局からの受信確認の応答を監視し、所定時間内に応答がない場合に、当該メッセージを前記メッセージ送信手段の送信で使用したシーケンス番号と同一のシーケンス番号を用いて、前記所定時間より長い第１の時間間隔で少なくとも１回再送するメッセージ再送手段と、
前記メッセージ送信手段が送信したメッセージと同一内容のメッセージを、前記複数のシーケンス番号の中から選択した他の空きのシーケンス番号を用いて、前記メッセージ再送手段によりメッセージの再送が行われてから次の再送が行われるまでの期間に、前記同期確立中の基地局へ追加送信するメッセージ追加送信手段と
を具備することを特徴とする移動通信端末装置。
【請求項７】
前記メッセージ追加送信手段は、前記複数のシーケンス番号の中に空きのシーケンス番号が複数あるか否かを判定して、複数ある場合にはこの複数の空きのシーケンス番号を選択し、前記メッセージ送信手段が送信したメッセージと同一内容のメッセージを、前記選択した複数のシーケンス番号を用いて、前記第１の時間間隔より短い第２の時間間隔で前記同期確立中の基地局へ複数回追加送信することを特徴とする請求項５又は６に記載の移動通信端末装置。
【請求項８】
前記メッセージ追加送信手段は、前記複数のシーケンス番号の中から、所定数のシーケンス番号を予備として残したうえで空きのシーケンス番号を複数選択して、前記メッセージの追加送信に使用することを特徴とする請求項７記載の移動通信端末装置。
【発明の詳細な説明】
【０００１】
【発明の属する技術分野】
この発明は、セルラ移動通信システムにおいて、無線チャネルの品質劣化を検出して同期確立中の基地局に対しハンドオフを要求する機能を備えた移動通信端末装置に関する。
【０００２】
【従来の技術】
近年、携帯電話システムに代表されるセルラ移動通信システムが急速に普及している。セルラ移動通信システムは、サービスエリアに複数の基地局を分散配置してこれらの基地局により各々セルと呼ばれる無線ゾーンを形成する。そして、移動局としての移動通信端末装置を当該端末装置が存在する無線ゾーンの基地局に無線チャネルを介して接続し、この基地局からさらに公衆網等を介して通信相手の端末装置に接続することで、端末間の通信を可能にしている。
【０００３】
ところでこの種のシステムでは、移動通信端末装置が待受中或いは通信中に現在存在する無線ゾーンから他の無線ゾーンへ移動した場合に、同期確立中の基地局を移動先の基地局に切り替える、いわゆるハンドオフが行われる。以下、このハンドオフの動作を符号分割多元接続（ＣＤＭＡ：Code Division Multiple Access）方式を採用したシステムを例にとって説明する。
【０００４】
すなわち、ＣＤＭＡ移動通信端末装置は、待受中又は通信中において、同期確立中の基地局から送信されているパイロット信号の受信レベルを測定すると共に、近接する各基地局から送信されているパイロット信号の受信レベルをそれぞれ測定する。受信レベルの強度は、逆拡散後における、パイロット信号の全受信エネルギ（Ｉｏ）に対する測定しようとする基地局からのパイロット信号のエネルギ（Ｅｃ）の比（Ｅｃ／Ｉｏ）が用いられる。そして、近接基地局からの受信レベルが所定レベル以上の強度になったとき、同期確立中のパイロットチャネルＰＮａ２の受信強度（Ｅｃ／Ｉｏ）PNa2が基地局から指定された値を下回るとき、及びその他の基地局からの各パイロットチャネルの受信強度（Ｅｃ／Ｉｏ）otherが基地局から指定された別の値より上回るときに、ＰＳＭＭ（Pilot Strength Measurement Message）と呼ばれるハンドオフ要求メッセージを生成して上記同期確立中の基地局へ送信する。このときハンドオフ要求メッセージには、上記同期確立中の基地局からの受信レベルの測定値、及び各近接基地局からの受信レベルの測定値が挿入される。
【０００５】
これに対し基地局は、移動通信端末装置から上記ハンドオフ要求メッセージを受信すると、このメッセージに挿入されている各基地局からの受信レベルの測定値をもとにハンドオフ先の基地局を決定し、この決定したハンドオフ先を要求元の移動通信端末装置に通知する。移動通信端末装置はこの通知を受けると基地局に受信確認を表す応答メッセージを返送し、しかるのち上記通知に従い同期確立先の基地局を切り替える。かくして、移動通信端末装置についてのハンドオフ処理がなされる。
【０００６】
【発明が解決しようとする課題】
ところが、この種の従来のシステムには次のような解決すべき課題があった。すなわち、移動通信端末装置はハンドオフ要求メッセージを送信すると、基地局からの受信確認を表す応答メッセージの返送を待つ。そして、一定時間内に上記受信確認の応答メッセージが返送されない場合には、一時的に無線チャネルの品質が劣化しているものとみなして、基地局から指定された回数（例えば最大９回）だけ所定のアクセスシーケンスに従って上記ハンドオフ要求メッセージの送信を繰り返す。すなわち、ハンドオフ要求メッセージの再送手順を実行する。図１２はそのシーケンスの一例を示すもので、（SEQ1(1)）はシーケンス番号１の１回目の送信であることを、また（SEQ1(2)）はシーケンス番号１の２回目の送信であることをそれぞれ示している。
【０００７】
しかし、このような再送手順における再送の時間間隔は、通常システムごとに規格により定められている。例えばＩＳ−９５に規定されるＣＤＭＡ方式のシステムでは４００msec以上に設定されている。このため、上記再送手順によるハンドオフ要求メッセージの送信頻度は低く、再送したメッセージが基地局に届いて実際にハンドオフが実行されるまでに長い時間がかかる。
【０００８】
一般に、ハンドオフ要求メッセージを送信するときは、概して基地局との通信状態が悪い場合が多く、移動通信端末装置から基地局に対するメッセージも届き難くなっていることが多い。このような通信状態で、移動通信端末装置が例えば車や電車により高速移動していると、移動通信端末装置から基地局へのメッセージ再送期間中に移動通信端末装置はかなりの距離を移動してしまい、基地局にメッセージが届いたところで内容はかなり古い情報になっていることが考えられる。この古い情報をもとに基地局がハンドオフ先を決定すると、ハンドオフできないような遠い基地局が割り当てられてしまい、結果的にハンドオフに失敗するという不具合が発生し非常に好ましくない。
【０００９】
この発明は上記事情に着目してなされたもので、その目的とするところは、ハンドオフを要求するメッセージの送信及び再送手順において、ハンドオフ要求メッセージの送信及び再送間隔を実質的に短縮してメッセージの送信頻度を高め、これにより無線環境の劣化時においてもハンドオフ要求メッセージをいち早く基地局に通知できるようにして、ハンドオフ成功率の向上を図った移動通信端末装置を提供することにある。
【００１０】
【課題を解決するための手段】
上記目的を達成するためにこの発明は、複数の基地局のいずれかと同期が確立されている状態で、その受信品質の劣化を検出して同期確立中の基地局に対しハンドオフ要求を送出する機能を備えた移動通信端末装置又はその制御回路において、
上記同期確立中の基地局およびその周辺の基地局から送信される無線信号の受信品質をそれぞれ測定し、その測定結果をもとにハンドオフの要否を判定するハンドオフ判定手段と、このハンドオフ判定手段によりハンドオフが必要と判定された場合に、ハンドオフの要求メッセージを生成して、この要求メッセージを複数のシーケンス番号の中から選択した空きのシーケンス番号を用いて、上記同期確立中の基地局へ送信するメッセージ送信手段と、上記要求メッセージの送信に対する上記同期確立中の基地局からの受信確認の応答を監視し、所定時間内に応答がない場合に、当該要求メッセージを上記メッセージ送信手段の送信で使用したシーケンス番号と同一のシーケンス番号を用いて、上記所定時間より長い第１の時間間隔で少なくとも１回再送するメッセージ再送手段とに加え、メッセージ追加送信手段を備えている。そして、このメッセージ追加送信手段により、上記メッセージ送信手段が送信した要求メッセージと同一内容の要求メッセージを、上記複数のシーケンス番号の中から選択した他の空きのシーケンス番号を用いて、任意のタイミングで上記同期確立中の基地局へ追加送信するようにしたものである。
【００１１】
したがってこの発明によれば、ハンドオフ要求メッセージは、一つのシーケンス番号のみにより送信及び再送されるのではなく、複数のシーケンス番号を同時に使用して各々任意のタイミングで並行して送信及び再送される。このため、個々のシーケンス番号によるメッセージ再送では規格により定められた時間間隔よりも短い時間間隔で送信することができなくても、複数のシーケンス番号を同時に使用することで、同一のハンドオフ要求メッセージを上記時間間隔より短い時間間隔で送信することが可能となる。すなわち、同一のハンドオフ要求メッセージを、規格を遵守した上でさらに高い頻度で送信することが可能となる。
【００１２】
したがって、一つのシーケンス番号のみを使用してハンドオフ要求メッセージを送信及び再送する従来の装置に比べ、ハンドオフ要求メッセージをより早く基地局に通知することが可能となり、これにより移動通信端末装置が高速移動しているときのハンドオフ成功率を高めることができる。
【００１３】
またこの発明は、上記メッセージ追加送信手段において、メッセージ送信手段が要求メッセージを送信してからメッセージ再送手段により当該要求メッセージの再送が行われるまでの期間に、要求メッセージの追加送信を行うことを特徴とする。
【００１４】
このようにすることで、ハンドオフ要求メッセージの送信開始当初から当該メッセージを高頻度に送信することが可能となり、これによりハンドオフ要求メッセージをより早く基地局に通知することが可能となる。
【００１５】
さらにこの発明は、上記メッセージ追加送信手段において、メッセージ再送手段により要求メッセージの再送が行われてから次の再送が行われるまでの期間に、要求メッセージの追加送信を行うことも特徴とする。
【００１６】
このようにすることで、ハンドオフ要求メッセージの送信開始当初は一つのシーケンス番号を用いて送信が行われ、再送手順が開始された後に複数のシーケンス番号を同時に使用したメッセージ送信及び再送が開始される。このため、無線環境が比較的良く、再送手順が開始されるまでの期間に要求メッセージを基地局に通知することが可能な場合には、シーケンス番号を一つのみ使用するだけでよいことになり、これにより数が限られているシーケンス番号を有効に使用することができる。
【００１７】
さらにこの発明は、メッセージ追加送信手段において、上記複数のシーケンス番号の中に空きのシーケンス番号が複数あるか否かを判定して、複数ある場合にはこの複数の空きのシーケンス番号を選択する。そして、メッセージ送信手段が送信した要求メッセージと同一内容の要求メッセージを、上記選択した複数のシーケンス番号を用いて上記第１の時間間隔より短い第２の時間間隔で複数回追加送信することも特徴とする。
【００１８】
このようにすることで、同一の要求メッセージを、３以上の異なるシーケンス番号を同時に使用して送信及び再送することができ、これにより要求メッセージの送信頻度をさらに高くして、基地局が要求メッセージをいち早く受信できる確率を高めることができる。
【００１９】
またその際、複数のシーケンス番号の中から、所定数のシーケンス番号を予備として残したうえで空きのシーケンス番号を複数選択するとよい。
このようにすると、一つのハンドオフ要求メッセージを送信するために空きのシーケンス番号を使い切ってしまう不具合をなくすことができ、これにより同時に他のメッセージが発生した場合に当該メッセージを即時送信することが可能となる。
【００２０】
【発明の実施の形態】
（第１の実施形態）
図１は、この発明に係わるセルラ移動通信システムの第１の実施形態であるＣＤＭＡ移動通信システムの概略構成図である。
システムのサービスエリアには、複数の基地局ＢＳａ，ＢＳｂ，ＢＳｃ，…（図では３局のみを図示）が分散配置されている。これらの基地局ＢＳａ，ＢＳｂ，ＢＳｃ，…はそれぞれ、各セクタＳａ１〜Ｓａ３、Ｓｂ１〜Ｓｂ３、Ｓｃ１〜Ｓｃ３ごとにオフセット値の異なる拡散符号を使用したパイロットチャネルＰＮａ１〜ＰＮａ３、ＰＮｂ１〜ＰＮｂ３、ＰＮｃ１〜ＰＮｃ３を放送している。なお、拡散符号としては例えばＰＮ符号（Pseudo noise code ）と、Walsh sequenceやOrthogonal Gold sequence等を採用した直交符号とが併用される。直交符号を使用する理由は、チャネル相互間の直交性を高めて干渉をさらに抑えるためである。
【００２１】
移動局としての移動通信端末装置ＭＳは、上記基地局ＢＳａ，ＢＳｂ，ＢＳｃ，…が放送しているパイロットチャネルＰＮａ１〜ＰＮａ３、ＰＮｂ１〜ＰＮｂ３、ＰＮｃ１〜ＰＮｃ３のいずれかと同期を確立して通信を行う。このとき、品質の良好な通信を行うには常に受信品質の良好なパイロットチャネルに対し同期を確立しておくことが必要であり、そのために移動通信端末装置ＭＳでは待ち受け中にハンドオフ処理が行われている。
【００２２】
ハンドオフは、移動通信端末装置ＭＳが、定期的に同期確立中のパイロットチャネルと同期確立候補である他の複数のパイロットチャネルとの受信品質を比較し、同期確立候補となる他の複数のパイロットチャネルの中に、同期確立中のパイロットチャネルよりも受信品質が所定レベル以上良好なパイロットチャネルが見つかった場合に、この同期確立対象をこのパイロットチャネルに切り替えるものである。
【００２３】
図２は、この実施形態に係わる移動通信端末装置ＭＳの構成を示す回路ブロック図である。
同図において、マイクロホン１０ａから出力された話者の送話音声信号は、アナログ−ディジタル変換器（Ａ−Ｄ）１１ａでディジタル信号に変換されたのち、音声符号化−復号化器（Voice coder−decoder 、以後ボコーダ：Vocoder と称する）１２に入力される。ボコーダ１２は、可変レート音声符号化方式を採用したもので、例えば9600bps ，4800bps ，2400bps ，1200bps の４種類の符号化レートの中から一つを選択し、この選択した符号化レートにより上記入力ディジタル音声信号を符号化する。符号化レートはマイクロ・プロセッサ（ＭＰＵ）１３からレート制御信号により指示される。
【００２４】
マイクロ・プロセッサ（ＭＰＵ）１３では、上記ボコーダ１２から出力された符号化ディジタル音声信号に制御信号等が付加され、これにより伝送データが生成される。この伝送データは、データ生成回路１４で誤り検出符号及び誤り訂正符号が付加されたのち畳み込み符号化器１５にて符号化され、さらにインタリーブ回路１６によりインタリーブのための処理が施される。そして、このインタリーブ回路１６から出力された伝送データは、スペクトラム拡散器１７で拡散符号により広帯域の信号にスペクトラム拡散される。
【００２５】
このスペクトラム拡散された送信信号は、ディジタル・フィルタ１８で不要な周波数成分が除去されたのちディジタル−アナログ変換器（Ｄ−Ａ）１９によりアナログ信号に変換される。そして、このアナログ送信信号は、アナログ・フロントエンド２０で所定の無線周波数にアップコンバートされるとともに所定の送信電力レベルに電力増幅されたのち、アンテナ２１から例えば基地局に向け送信される。
【００２６】
一方、アンテナ２１で受信されたスペクトラム拡散無線信号は、アナログ・フロントエンド２０において低雑音増幅器により増幅されるとともに、中間周波数又はベースバンド周波数にダウンコンバートされる。そして、このアナログ・フロントエンド２０から出力された受信信号は、アナログ−ディジタル変換器（Ａ−Ｄ）２２で所定のサンプリング周期でディジタル信号に変換されたのち、サーチ受信機２３、自動利得制御（ＡＧＣ）回路２４及びＲＡＫＥ受信機２５に入力される。
【００２７】
ＲＡＫＥ受信機２５は、例えば４個のフィンガ回路と、これらのフィンガ回路の出力信号をシンボル合成するシンボル合成器とを有する。各フィンガ回路は、それぞれ受信レベルの大きい所望のパスの受信信号に対し独立してスペクトラム逆拡散を行うことにより、異なる４つのパスの受信信号をマルチパス無線信号から分離して各々再生する。
【００２８】
サーチ受信機２３は、基地局から放送されているパイロットチャネルのＰＮ符号をサーチしてそのオフセットを捕捉するためのもので、基本的にはフィンガ回路と同じ構成である。このＰＮ符号のサーチ動作により得られる電力制御データはマイクロ・プロセッサ１３に取り込まれる。
【００２９】
上記ＲＡＫＥ受信機２５から出力された復調シンボルは、タイミング情報と共にデインタリーブ回路２６に入力され、このデインタリーブ回路２６においてデインタリーブ処理が施される。続いて、このデインタリーブ後の復調シンボルは、ビタビ復号化器２７においてビタビ復号され、さらにこのビタビ復号後の復調シンボルは誤り訂正回路２８で誤り訂正復号処理されて受信データとなり、マイクロ・プロセッサ１３に入力される。マイクロ・プロセッサ１３では、上記入力された受信データが音声データと制御データとに分離される。このうち音声データは、ボコーダ１２で音声復号されたのちディジタル−アナログ変換器（Ｄ−Ａ）１１ｂでアナログ信号に変換され、しかるのちスピーカ１０ｂから拡声出力される。
【００３０】
なお、キーパッド／ディスプレイ２９は、ユーザがダイヤルデータや制御データ等の入力及び設定を行ったり、また移動通信端末装置ＭＳの動作状態に係わる種々情報を表示するために設けられている。このキーパッド／ディスプレイ２９の動作はマイクロ・プロセッサ１３により制御される。
【００３１】
ところで、マイクロ・プロセッサ１３は、発信及び着信に伴う通信リンク接続制御や通信制御等の通常の制御機能に加えて、この発明に係わる制御機能としてハンドオフ要求送信制御機能１３１と、ハンドオフ要求追加送信制御機能１３２とを備えている。
【００３２】
マイクロ・プロセッサ１３には図示しないメモリが設けられており、このメモリに記憶させたプログラムをマイクロ・プロセッサ１３が実行することにより上記制御機能が実現される。上記ハンドオフ制御プログラムは予めＲＯＭ等のメモリに記憶させておいてもよいが、製品の組み立て時や使用開始後に記憶媒体からコピーすることで記憶させるようにしてもよい。記憶媒体としては、ＥＥＰＲＯＭを含むＲＯＭやＲＡＭなどのメモリ、フロッピーディスク、ハードディスク、ＣＤ−ＲＯＭディスクやＤＶＤディスクなどの光ディスク、メモリカード、その他プログラムを記憶することができる記憶媒体を用いることができる。また上記ハンドオフ制御プログラムは、インターネット等のコンピュータ・ネットワーク上に設けられたサイトから移動通信端末装置ＭＳにダウンロードしてメモリに記憶させるようにしてもよい。
【００３３】
ハンドオフ要求制御機能１３１は、同期確立中の基地局及び同期確立候補となるその周辺の基地局が放送している各パイロットチャネルの受信強度をそれぞれ測定し、その測定値をもとにハンドオフの必要性の有無を判定する。そして、ハンドオフの必要有りと判定した場合に、上記各パイロットチャネルの受信強度測定値を含めた要求メッセージ（ＰＳＭＭ）を生成し、この要求メッセージをシーケンス番号を用いて同期確立中の基地局に向け送信する。シーケンス番号は、予め用意されている複数のシーケンス番号の中から選択される。
【００３４】
また、上記要求メッセージの送信後、一定時間内に基地局から受信確認の応答メッセージが返送されるか否かを監視する。そして、返送されない場合には、上記要求メッセージを、当該メッセージを送信するために使用した前記シーケンス番号を使用して再送する。以後、基地局から受信確認の応答メッセージが返送されるまで、上記要求メッセージの再送を同一のシーケンス番号を用いて繰り返す。なお、この繰り返し回数は、ＩＳ−９５規格では９回に設定される。
【００３５】
ハンドオフ要求追加送信制御機能１３２は、上記ハンドオフ要求制御機能１３１の制御により送信された要求メッセージと同一内容の要求メッセージを、上記複数のシーケンス番号の中から選択した他の１つ又は複数のシーケンス番号を用いて、上記同期確立中の基地局へ追加送信する。この追加送信タイミングは、上記ハンドオフ要求制御機能１３１の制御により要求メッセージの再送手順が開始された後の、各要求メッセージの再送インターバル期間に設定される。
【００３６】
次に、以上のように構成された移動通信端末装置ＭＳの動作を説明する。
いま例えば、基地局ＢＳａが送信しているパイロットチャネルＰＮａ２に対し同期が確立されている移動通信端末装置ＭＳが、基地局ＢＳｂの方向へ移動したとする。
【００３７】
このとき移動通信端末装置ＭＳでは、次のようにハンドオフの要否判定が行われる。図３は、その制御手順及び制御内容を示すフローチャートである。
すなわち、移動通信端末装置ＭＳは、先ずステップ３ａで同期確立中のパイロットチャネルＰＮａ２の受信強度（Ｅｃ／Ｉｏ）PNa2を測定する。また、近接基地局ＢＳｂ，ＢＳｃの各パイロットチャネルについて、その受信強度の測定が終了したか否かをステップ３ｂで判定する。そして、終了していなければステップ３ｃに移行して、ここで上記同期確立中のパイロットチャネルＰＮａ２により基地局ＢＳａから報知されるネイバリストメッセージに従い、近接基地局ＢＳｂ，ＢＳｃの各パイロットチャネルを順次受信してその受信強度を測定する。ネイバリストメッセージには、同期確立中の基地局に近接する基地局のＰＮ符号が含まれており、移動通信端末装置ＭＳは、少なくともこれらのＰＮ符号で識別される近接基地局（ネイバリング基地局）からのパイロット信号の受信強度を測定する。
【００３８】
一方、近接基地局ＢＳｂ，ＢＳｃの各パイロットチャネルについて受信電界強度の測定を終了していれば、ステップ３ｄでその他の基地局（リメイニング基地局）からのパイロットチャネルの受信強度を測定する。その他の基地局（リメイニング基地局）は、ＰＮ符号で識別可能なすべての基地局のうち、同期確立中の基地局と近接基地局を除いたものである。移動通信端末装置ＭＳは必ずしもその他の基地局からのパイロット信号をすべて測定する必要はなく、適応に応じてその一部のみを測定してもよい。
【００３９】
以上の測定を終了すると移動通信端末装置ＭＳは、次にステップ３ｅで上記受信強度を測定したネイバリング基地局及びリメイニング基地局からのパイロットチャネルのうち、受信強度の測定値（Ｅｃ／Ｉｏ）が基準値以上のパイロットチャネルがあるか否かを判定する。そして、基準値以上のパイロットチャネルが見つかった場合にはハンドオフ要求制御へ移行する。
【００４０】
また、上記ステップ３ｅにおいて受信強度の測定値が基準値以上のパイロットチャネルが見つからなかった場合にはステップ３ｆに移行する。そして、同期確立中のパイロットチャネルＰＮａ２の受信強度（Ｅｃ／Ｉｏ）PNa2が基地局から指定された値th1を下回る場合にもハンドオフ要求制御へ移行し、さらにその他の基地局からの各パイロットチャネルの受信強度（Ｅｃ／Ｉｏ）otherが基地局から指定された別の値th2より上回る場合にもステップ３ｇからハンドオフ要求制御に移行する。なお、その他の場合にはハンドオフ要求制御を行わない。
【００４１】
さて、ハンドオフ要求制御に移行すると移動通信端末装置ＭＳは、この制御を次のように実行する。図４及び図５はその制御手順及び制御内容を示すフローチャート、図６は移動通信端末装置ＭＳと基地局ＢＳとの間で行われるメッセージ伝送手順を示すシーケンス図である。
【００４２】
すなわち、移動通信端末装置ＭＳは、先ずステップ４ａで使用可能なシーケンス番号（SEQNo）があるか否かを判定する。ここで、使用可能なシーケンス番号とは、別のメッセージを送信するために用意した所定数（例えば１個）のシーケンス番号を除いた空きのシーケンス番号のことである。上記判定の結果、使用可能なシーケンス番号がなければ、ハンドオフ要求メッセージの送信待機制御に移行する。
【００４３】
これに対し使用可能なシーケンス番号があれば、ステップ４ｂでこの使用可能なシーケンス番号を一つ、例えば（SEQ1）を選択する。そして、ステップ４ｃでハンドオフを要求するためのメッセージとして、パイロット強度測定メッセージ（ＰＳＭＭ）を作成する。このメッセージには、前記ハンドオフ判定制御において得た、同期確立中のパイロットチャネルＰＮａ２の受信強度の測定値と、近接基地局及びその他の基地局からの全パイロットチャネルの受信強度測定値がそれぞれ挿入される。そして、この作成したハンドオフ要求メッセージ（図６ではメッセージＡと呼称）を、先に選択したシーケンス番号（SEQ1）を用いて同期確立中の基地局ＢＳａに向け送信する。なお、図６中（SEQ1(1)）の(1)は１回目の送信であることを示している。
【００４４】
上記メッセージＡ（SEQ1(1)）を送信すると、移動通信端末装置ＭＳはタイマを起動し、ステップ４ｆでこのタイマのタイムアウト（４００msec）を監視しながら、ステップ４ｄで基地局ＢＳａからの受信確認の応答メッセージ（ＡＣＫ）の返送を監視する。そして、上記タイマがタイムアウトする前に基地局ＢＳａから受信確認の応答メッセージが返送された場合には、ステップ４ｅでシーケンス番号（SEQ1）を開放した後ハンドオフ処理に移行する。
【００４５】
なお、このハンドオフ処理では、先ず基地局ＢＳａからのハンドオフ・ディレクションメッセージ（ＨＯＭ）の到来を待つ。そして、このハンドオフ・ディレクションメッセージが受信されると、ハンドオフ・コンプリーションメッセージ（ＨＣＭ）を返送し、以後上記ハンドオフ・ディレクションメッセージにより指示されたハンドオフ先のパイロットチャネルに同期を確立する処理が行われる。
【００４６】
ところで、例えば移動通信端末装置ＭＳの移動の影響やマルチパスの影響により基地局ＢＳａとの間の無線伝送路の状態が劣化し、これによりメッセージＡ（SEQ1(1)）が基地局ＢＳａに届かなかったか、或いは基地局ＢＳａからの受信確認の応答メッセージが受信できなかったとする。
【００４７】
そうすると移動通信端末装置ＭＳは、ステップ４ｆでタイマのタイムアウトを確認するとステップ４ｇに移行し、ここでメッセージＡ（SEQ1）の再送信が可能か否かを判定する。例えば、ハンドオフ要求メッセージの送信が予め定められた回数、例えば９回以下の場合には、再送信が可能と判定する。そして、可能であればステップ４ｈにおいて上記シーケンス番号（SEQ1）の送信回数を計数するカウンタの値を（SEQ1(2)）にインクリメントしたのち、ステップ４ｉに移行してここで上記メッセージＡ（SEQ1(1)）と同一内容のメッセージＡ（SEQ1(2)）を生成して、このメッセージＡ（SEQ1(2)）を同期確立中の基地局ＢＳａに向け送信する。
【００４８】
以後、移動通信端末装置ＭＳはメッセージＡをシーケンス番号（SEQ1）を用いて再送信するごとに、基地局ＢＳａからの受信確認の応答メッセージの返送をステップ４ｄで監視し、タイマがタイムアウトするまでの期間（４００msec）内に受信確認の応答メッセージが受信できなければ、上記したようにステップ４ｄ〜４ｈによるメッセージＡの再送制御を繰り返す。この再送制御の繰り返しは、予め設定された回数、例えば９回繰り返された時点で終了する。なお、この再生手順を終了する際にはステップ４ｐでシーケンス番号（SEQ1）を開放する。
【００４９】
ところで、本実施形態の移動通信端末装置ＭＳは、上記したハンドオフ要求メッセージＡの再送手順を開始すると、同一内容のハンドオフ要求メッセージＡの追加送信制御を実行する。
【００５０】
すなわち、移動通信端末装置ＭＳは、ステップ４ｉにおいてメッセージＡ（SEQ1(2)）を再送すると、図５に示すステップ４ｋに移行し、ここで使用可能なシーケンス番号の有無を先ず判定する。この判定の結果、使用可能なシーケンス番号が他のメッセージの送信用として用意されているもの（例えば１個）以外に残っていなければ、追加送信は不可能であると判断して、そのまま前記ステップ４ｄ〜ステップ４ｉによるシーケンス番号（SEQ1）を用いたメッセージＡの再送制御に戻る。
【００５１】
一方、使用可能なシーケンス番号が残っていた場合には、ステップ４ｍでこの使用可能なシーケンス番号（SEQ2）を一つ選択し、ステップ４ｎに移行する。そして、このステップ４ｎにおいて、前記メッセージＡと同一内容のメッセージＡを、上記選択したシーケンス番号（SEQ2）を用いて基地局ＢＳａに向け送信する。なお、このとき上記メッセージＡ（SEQ2(1)）の送信タイミングは、例えば上記メッセージＡ（SEQ1(2)）の送信時点から１００msec後になるように設定する。
【００５２】
以後同様に移動通信端末装置ＭＳは、メッセージＡ（SEQ1(3)），メッセージＡ（SEQ1(4)），…を１回再送するごとに、ステップ４ｋ〜ステップ４ｎにおいて別のシーケンス番号（SEQ2(2)），シーケンス番号（SEQ2(3)），…を用いた同一内容のメッセージＡの追加送信が行われる。図６にその様子を示す。
【００５３】
以上述べたようにこの第１の実施形態では、ハンドオフ要求追加送信制御機能１３２を新たに備えている。そしてこのハンドオフ要求追加送信制御機能１３２により、ハンドオフ要求メッセージＡの再送手順に移行した場合に、このメッセージＡの送信に使用しているシーケンス番号（SEQ1）とは別の使用可能なシーケンス番号（SEQ2）を選択し、このシーケンス番号（SEQ2）を用いて、上記メッセージと同一内容のメッセージＡを、上記シーケンス番号（SEQ1）を用いたメッセージＡの再送インターバル期間中における任意のタイミングで送信するようにしている。
【００５４】
したがって、同一内容のハンドオフ要求メッセージＡが２個の異なるシーケンス番号（SEQ1），（SEQ2）を使用して並行して送信されることになり、このため基地局ＢＳａに対するハンドオフ要求メッセージＡの送信頻度が高められ、その結果基地局ＢＳａに対し無線環境が劣化している状態であってもハンドオフ要求メッセージＡをいち早く通知することが可能となる。
【００５５】
また第１の実施形態では、同一内容のハンドオフ要求メッセージＡの追加送信を、その元になるハンドオフ要求メッセージＡの再送手順移行後に行うようにしている。このため、無線環境が比較的良く、再送手順が開始されるまでの期間に要求メッセージを基地局に通知することが可能な場合には、シーケンス番号を一つのみ使用するだけでよいことになり、これにより数が限られているシーケンス番号を有効に使用することができる。
【００５６】
さらに第１の実施形態では、追加送信用のシーケンス番号を選択する際に、他のメッセージの送信用として予め用意されているもの（例えば１個）を除外するようにしている。このため、１個のハンドオフ要求メッセージＡを送信するために空きのシーケンス番号を使い切ってしまう不具合をなくすことができ、これにより同時に他のメッセージが発生した場合に当該メッセージを即時送信することができる。
【００５７】
（第２の実施形態）
この発明に係わる第２の実施形態は、ハンドオフ要求メッセージを送信する際に、ハンドオフ要求追加送信制御機能により、本来のメッセージ送信のためのシーケンス番号と、追加送信のための他のシーケンス番号とをそれぞれ選択する。そして、同一内容のハンドオフ要求メッセージを、その送信開始当初から上記複数のシーケンス番号を用いて再送インターバルより短い時間間隔でそれぞれ送信するようにしたものである。
【００５８】
図７は、この第２の実施形態に係わる移動通信端末装置ＭＳのハンドオフ要求制御の手順とその内容を示すフローチャート、図８は移動通信端末装置ＭＳと基地局ＢＳとの間で行われるメッセージ伝送手順を示すシーケンス図である。
【００５９】
ハンドオフ要求制御に移行すると移動通信端末装置ＭＳは、ステップ７ａで使用可能なシーケンス番号（SEQNo）があるか否かを判定する。ここで、使用可能なシーケンス番号とは、その他のメッセージを送信するために用意した所定数（例えば１個）のシーケンス番号を除いた空きのシーケンス番号のことである。上記判定の結果、使用可能なシーケンス番号がなければ、ハンドオフ要求メッセージの送信待機制御に移行する。
【００６０】
これに対し使用可能なシーケンス番号があれば、ステップ７ｂでこの使用可能なシーケンス番号を複数個選択する。例えば、シーケンス番号（SEQ1），（SEQ2），（SEQ3）からなる３個を選択する。そして、ステップ７ｃにおいて、ハンドオフを要求するためのメッセージとして、パイロット強度測定メッセージ（ＰＳＭＭ）を作成する。このパイロット強度測定メッセージには、前記ハンドオフ判定制御において得た、同期確立中のパイロットチャネルの受信強度測定値と、近接基地局及びその他の基地局からの全パイロットチャネルの受信強度測定値がそれぞれ挿入される。
【００６１】
そして、この作成した同一内容のハンドオフ要求メッセージ（以後メッセージＡと呼称する）を、上記ステップ７ｂにて選択した３個のシーケンス番号（SEQ1），（SEQ2），（SEQ3）を用いて同期確立中の基地局ＢＳａに向けそれぞれ送信する。なお、このとき３個のメッセージＡ（SEQ1(1)）、メッセージＡ（SEQ2(1)）及びメッセージＡ（SEQ3(1)）の送信時間間隔は、１個のシーケンス番号を使用した場合のメッセージ再送インターバルである４００msecより短い値、例えば１００msecに設定される。
【００６２】
上記３個のメッセージＡ（SEQ1(1)）、メッセージＡ（SEQ2(1)）及びメッセージＡ（SEQ3(1)）を送信すると、移動通信端末装置ＭＳは上記各メッセージＡ（SEQ1(1)）、メッセージＡ（SEQ2(1)）及びメッセージＡ（SEQ3(1)）ごとにタイマを起動し、ステップ７ｆでこのタイマのタイムアウト（４００msec）を監視しながら、ステップ７ｄで基地局ＢＳａからの受信確認応答メッセージ（ＡＣＫ）の返送を監視する。そして、上記タイマがタイムアウトする前に基地局ＢＳａから受信確認の応答メッセージが返送されると、ステップ７ｅでこの受信確認応答メッセージに対応するシーケンス番号を開放し、しかる後ハンドオフ処理に移行する。
【００６３】
一方、例えば移動通信端末装置ＭＳの移動の影響やマルチパスの影響により基地局ＢＳａとの間の無線伝送路の状態が劣化し、これによりメッセージＡ（SEQ1(1)）、メッセージＡ（SEQ2(1)）及びメッセージＡ（SEQ3(1)）が基地局ＢＳａに届かなかったか、或いは基地局ＢＳａからの受信確認応答メッセージが受信できなかったとする。
【００６４】
そうすると移動通信端末装置ＭＳは、ステップ７ｆでタイマのタイムアウトを確認するとステップ４ｇに移行し、ここでメッセージＡ（SEQ1(1)）、メッセージＡ（SEQ2(1)）及びメッセージＡ（SEQ3(1)）の再送信が可能か否かを判定する。例えば、メッセージＡの送信が予め定められた回数、例えば９回以下の場合には、再送信が可能と判定する。そして、可能であればステップ７ｈにおいて上記シーケンス番号（SEQ1），（SEQ2），（SEQ3）の送信回数を計数するカウンタの値をそれぞれ（SEQ1(2)），（SEQ2(2)），（SEQ3(2)）にインクリメントしたのち、ステップ７ｉに移行する。そして、このステップ７ｉで上記メッセージＡ（SEQ1(1)）、メッセージＡ（SEQ2(1)）及びメッセージＡ（SEQ3(1)）とそれぞれ同一内容のメッセージＡ（SEQ1(2)）、メッセージＡ（SEQ2(2)）及びメッセージＡ（SEQ3(2)）を生成し、これらのメッセージＡ（SEQ1(2)）、メッセージＡ（SEQ2(2)）及びメッセージＡ（SEQ3(2)）を、図８に示すように１００msecの相互間隔を保って同期確立中の基地局ＢＳａに向け送信する。
【００６５】
以後移動通信端末装置ＭＳは、同一内容のメッセージＡを異なるシーケンス番号（SEQ1），（SEQ2），（SEQ3）を用いてそれぞれ再送信するごとに、基地局ＢＳａからの受信確認応答メッセージの返送をステップ７ｄで監視し、タイマがタイムアウトするまでの期間（４００msec）内に受信確認の応答メッセージが受信できなければ、上記したようにステップ７ｄ〜７ｉによるメッセージＡの再送制御を繰り返す。この再送制御の繰り返しは、予め設定された回数、例えば９回繰り返された時点で終了する。なお、この再生手順を終了する際にはステップ７ｐでシーケンス番号（SEQ1），（SEQ2），（SEQ3）を開放する。
【００６６】
このように第２の実施形態によれば、同一内容のハンドオフ要求メッセージＡが、その送信開始当初から３個の異なるシーケンス番号（SEQ1），（SEQ2），（SEQ3）を使用して１００msec間隔でそれぞれ送信されることになる。このため、基地局ＢＳａに対するハンドオフ要求メッセージＡの送信頻度が送信開始当初から高められ、その結果無線伝送路の状態が劣化している場合であっても、基地局ＢＳａに対しハンドオフ要求メッセージＡをいち早く通知することが可能となる。
【００６７】
（第３の実施形態）
この発明の第３の実施形態は、ハンドオフ要求メッセージＡの再送手順において、使用可能な他のシーケンス番号を複数個選択し、上記メッセージＡと同一内容のメッセージＡをこれらのシーケンス番号を使用して再送インターバルより短い時間間隔で追加送信すると共に、この追加送信を含むメッセージＡの再送手順中に、前記ハンドオフ判定制御において当該メッセージＡと同種の新しい内容のハンドオフ要求メッセージＡ′が発生した場合に、以後再送及び追加送信する上記メッセージＡの内容を上記新たなメッセージの内容Ａ′に更新するようにしたものである。
【００６８】
図９及び図１０はこの第３の実施形態に係わる移動通信端末装置ＭＳのハンドオフ要求制御の手順とその内容を示すフローチャート、図１１は移動通信端末装置ＭＳと基地局ＢＳとの間で行われるメッセージ伝送手順を示すシーケンス図である。なお、図９において前記図４と同一部分には同一符号を付して詳しい説明は省略する。また、図９のステップ４ｉに続く追加送信処理については前記図５と同一なのでここでの図示は省略する。
【００６９】
ハンドオフ要求メッセージＡの送信或いは再送信後における受信確認応答メッセージの到来監視期間中において、移動通信端末装置ＭＳはステップ９ａにより要求メッセージ（ＰＳＭＭ）の内容更新処理を行っている。
【００７０】
すなわち、移動通信端末装置ＭＳは図１０に示すステップ１０ａにおいて、ハンドオフ判定制御により新たなハンドオフ要求メッセージが発生したか否かを監視する。そして、この状態で新たなハンドオフ要求メッセージが発生すると、ステップ１０ｂにおいて受信確認応答待ちのハンドオフ要求メッセージの中に、上記新たなハンドオフ要求メッセージと同種のメッセージがあるか否かを判定する。この判定の結果、同種のメッセージがあったとすると、ステップ１０ｃに移行してここでこの受信確認応答待ちの同種のハンドオフ要求メッセージの内容を上記新たなハンドオフ要求メッセージの内容に更新する。
【００７１】
したがって、上記受信確認応答待ちの状態がタイムアウトし、当該受信確認応答待ちのハンドオフ要求メッセージＡの再送を行う際には、その内容が更新されたハンドオフ要求メッセージＡ′が再送信されることになる。この内容更新処理は、図１１に示すように、シーケンス番号（SEQ1）を使用した本来のハンドオフ要求メッセージＡについては勿論のこと、他のシーケンス番号（SEQ2），（SEQ3）を使用して追加送信を行っている同一内容の各ハンドオフ要求メッセージＡについても同様に行われる。
【００７２】
このように第３の実施形態によれば、受信確認応答待ちのハンドオフ要求メッセージＡと同種のハンドオフ要求メッセージＡ′が新たに発生した場合に、上記受信確認応答待ちのハンドオフ要求メッセージＡの内容が、本来のメッセージ及び追加送信のメッセージを問わず全てＡ′の内容に更新され、以後のハンドオフ要求メッセージの再送手順においてはこの内容が更新されたメッセージＡ′が再送信される。
【００７３】
したがって、移動通信端末装置ＭＳは、前記第１及び第２の実施形態と同様に同一内容のハンドオフ要求メッセージを基地局ＢＳａに向けて頻繁に送信することができ、しかも常に最新のパイロット強度測定値を送信することができる。このため、基地局ＢＳａでは、無線伝送路の状態が一時的にも回復すれば、上記頻繁に送信されるメッセージのいずれかをいち早く受信することができ、しかも最新のパイロット強度測定値をもとにハンドオフ先を決定することができるため、常に最適なハンドオフが可能となる。
【００７４】
（その他の実施形態）
前記各実施形態では、ＣＤＭＡ移動通信システムを例にとって説明したが、移動通信端末装置がハンドオフ要求を送信する機能を持つシステムであれば、ＰＤＣやＰＨＳ等のＴＤＭＡ方式を採用したシステムにも同様に適用可能である。
【００７５】
さらに、前記各実施形態ではハンドオフ要求メッセージを送信する場合を例にとって説明したが、受信確認の応答を必要とするメッセージであればその他の種類のメッセージを送信する場合にもこの発明を適用することが可能である。
【００７６】
また、マイクロ・プロセッサの代わりにゲートアレイなどの集積回路により、発信及び着信に伴う通信リンク接続制御や通信制御やハンドオフ制御機能を実現してもよい。
【００７７】
その他、移動通信端末装置の種類やその回路構成、ハンドオフ判定制御、ハンドオフ要求制御とそのメッセージ追加送信制御の手順及び内容、及びメッセージ内容更新処理の内容等についても、この発明の要旨を逸脱しない範囲で種々変形して実施できる。
【００７８】
【発明の効果】
以上詳述したようにこの発明では、メッセージ追加送信手段を新たに設け、このメッセージ追加送信手段により、メッセージ送信手段が送信した要求メッセージと同一内容の要求メッセージを、複数のシーケンス番号の中から選択した他の空きのシーケンス番号を用いて、前記メッセージ送信手段が要求メッセージを送信してから前記メッセージ再送手段により当該要求メッセージの再送が行われるまでの期間に、或いは前記メッセージ再送手段により要求メッセージの再送が行われてから次の再送が行われるまでの期間に、同期確立中の基地局へ追加送信するようにしている。
【００７９】
したがってこの発明によれば、ハンドオフを要求するメッセージの送信及び再送間隔を実質的に短縮してメッセージの送信頻度を高めることができ、これにより無線環境の劣化時においてもハンドオフ要求メッセージをいち早く基地局に通知でき、ハンドオフ効率の向上を図った移動通信端末装置を提供することができる。
【図面の簡単な説明】
【図１】  この発明に係わるセルラ移動通信システムの実施形態であるＣＤＭＡ移動通信システムを示す概略構成図。
【図２】  図１に示したシステムにおいて使用されるＣＤＭＡ移動通信端末装置の構成を示す回路ブロック図。
【図３】  図２に示した移動通信端末装置において実行されるハンドオフ判定制御手順とその内容を示すフローチャート。
【図４】  この発明の第１の実施形態におけるハンドオフ要求制御の前半部分の手順とその内容を示すフローチャート。
【図５】  この発明の第１の実施形態におけるハンドオフ要求制御の後半部分の手順とその内容を示すフローチャート。
【図６】  この発明の第１の実施形態におけるメッセージ伝送手順を示すシーケンス図。
【図７】  この発明の第２の実施形態におけるハンドオフ要求制御手順とその内容を示すフローチャート。
【図８】  この発明の第２の実施形態におけるメッセージ伝送手順を示すシーケンス図。
【図９】  この発明の第３の実施形態におけるハンドオフ要求制御手順とその内容を示すフローチャート。
【図１０】  この発明の第３の実施形態におけるハンドオフ要求制御のメッセージ内容更新処理手順とその内容を示すフローチャート。
【図１１】  この発明の第３の実施形態におけるメッセージ伝送手順を示すシーケンス図。
【図１２】  従来のハンドオフ要求メッセージの伝送手順を示すシーケンス図。
【符号の説明】
ＢＳａ，ＢＳｂ，ＢＳｃ…基地局
Ｓａ１〜Ｓｃ３…セクタ
ＭＳ…移動端末装置
ＰＮａ１〜ＰＮｃ３…パイロットチャネル
１１ａ，２２…アナログ−ディジタル変換器（Ａ−Ｄ）
１１ｂ，１９…ディジタル−アナログ変換器（Ｄ−Ａ）
１２…音声符号化−復号化器（ボコーダ）
１３…マイクロ・プロセッサ（ＭＰＵ）
１３１…ハンドオフ要求送信制御機能
１３２…ハンドオフ要求追加送信制御機能
１４…データ生成回路
１５…畳み込み符号化器
１６…インタリーブ回路
１７…スペクトラム拡散器
１８…ディジタル・フィルタ
２０…アナログ・フロントエンド
２１…アンテナ
２３…サーチ受信機
２４…自動利得制御（ＡＧＣ）回路
２５…ＲＡＫＥ受信機
２６…デインタリーブ回路
２７…ビタビ復号化器
２８…誤り訂正回路
２９…キーパッド／ディスプレイ
【図１】
0003878405.tif 000002
【図２】
0003878405.tif 000003
【図３】
0003878405.tif 000004
【図４】
0003878405.tif 000005
【図５】
0003878405.tif 000006
【図６】
0003878405.tif 000007
【図７】
0003878405.tif 000008
【図８】
0003878405.tif 000009
【図９】
0003878405.tif 000010
【図１０】
0003878405.tif 000011
【図１１】
0003878405.tif 000012
【図１２】
0003878405.tif 000013